(57)【特許請求の範囲】
【請求項１】
電子部品の電極に接触する端子を有するフィルム状の第１の部材と、
前記第１の部材に重ねられ、前記電子部品を覆う第２の部材と、
前記第１の部材と前記第２の部材との間に介装され、前記電子部品の周囲に配置されたスペーサと、を備えており、
前記スペーサは、平面視において、前記電子部品の輪郭のうち相互に対向する一対の辺のみに隣り合うように配置されていることを特徴とする試験用キャリア。
【請求項２】
請求項１に記載の試験用キャリアであって、
前記スペーサの厚さは、前記電子部品の厚さと実質的に同一であることを特徴とする試験用キャリア。
【請求項３】
請求項１又は２に記載の試験用キャリアであって、
前記スペーサは、平面視において、前記電子部品の輪郭のうち前記電極の近傍に位置する部分に隣り合うように配置されていることを特徴とする試験用キャリア。
【請求項４】
請求項１〜３の何れかに記載の試験用キャリアであって、
前記電子部品は、半導体ウェハからダイシングされたダイであることを特徴とする試験用キャリア。
【請求項５】
請求項１〜４の何れかに記載の試験用キャリアであって、
前記第１の部材と前記第２の部材との間に形成され、前記電子部品を収容する収容空間を有し、
前記スペーサは、前記収容空間に収容されていることを特徴とする試験用キャリア。
【請求項６】
請求項５に記載に試験用キャリアであって、
前記収容空間は、外気に比して減圧されていることを特徴とする試験用キャリア。
【発明の詳細な説明】
【技術分野】
【０００１】
ダイチップに形成された集積回路等の電子回路を試験するために、当該ダイチップが一時的に実装される試験用キャリアに関する。
【背景技術】
【０００２】
ポリイミドからなるフィルム上に、試験対象のチップの電極パターンに対応したコンタクトパッドと、当該コンタクトパッドに接続され、外部の試験装置とのコンタクトをとるための配線パターンと、を形成して構成されるコンタクトシートを有する試験用キャリアが知られている（例えば特許文献１参照）。
【先行技術文献】
【特許文献】
【０００３】
【特許文献１】特開平７−２６３０５０４号公報
【発明の概要】
【発明が解決しようとする課題】
【０００４】
上記の試験用キャリアにおいて、コンタクトシートのフィルムが厚過ぎると、当該フィルムの剛性が高いためにチップのエッジにフィルムが乗り上げてしまい、エッジ近傍に位置する電極パターンと、コンタクトパッドとが電気的に導通せずに、コンタクト不良が発生するという問題がある。
【０００５】
一方、コンタクトシートのフィルムが薄過ぎると、フィルム自体の伸びや、配線形成時の応力によってフィルムに発生するウネリに起因して、コンタクトパッドの位置精度が低下するという問題がある。
【０００６】
本発明が解決しようとする課題は、コンタクト不良の発生を抑制しつつ端子の位置精度を確保することが可能な試験用キャリアを提供することである。
【課題を解決するための手段】
【０００７】
［１］本発明に係る試験用キャリアは、電子部品の電極に接触する端子を有するフィルム状の第１の部材と、前記第１の部材に重ねられ、前記電子部品を覆う第２の部材と、前記第１の部材と前記第２の部材との間に介装され、前記電子部品の周囲に配置されたスペーサと、を備えており、前記スペーサは、平面視において、前記電子部品の輪郭のうち相互に対向する一対の辺のみに隣り合うように配置されていることを特徴とする。
【０００８】
［２］上記発明において、前記スペーサの厚さは、前記電子部品の厚さと実質的に同一であってもよい。
【０００９】
［３］上記発明において、前記スペーサは、平面視において、前記電子部品の輪郭のうち前記電極の近傍に位置する部分に隣り合うように配置されていてもよい。
【００１２】
［４］上記発明において、前記電子部品は、半導体ウェハからダイシングされたダイであってもよい。
【００１３】
［５］上記発明において、前記第１の部材と前記第２の部材との間に形成され、前記電子部品を収容する収容空間を有し、前記スペーサは、前記収容空間に収容されていてもよい。
【００１４】
［６］上記発明において、前記収容空間は、外気に比して減圧されていてもよい。
【発明の効果】
【００１５】
本発明では、スペーサが第１の部材と第２の部材との間に介装され電子部品の周囲に配置されているので、第１の部材を薄くしなくても、第１の部材の端子が電子部品の電極から浮き上がるのを防止することができ、コンタクト不良の発生を抑制しつつ端子の位置精度を確保することができる。
【図面の簡単な説明】
【００１６】
【図１】図１は、本発明の実施形態におけるデバイス製造工程の一部を示すフローチャートである。
【図２】図２は、本発明の実施形態における試験用キャリアの分解斜視図である。
【図３】図３は、本発明の実施形態における試験用キャリアの断面図である。
【図４】図４は、本発明の実施形態における試験用キャリアの分解断面図である。
【図５】図５は、図４のV部の拡大図である。
【図６】図６は、本発明の実施形態における試験用キャリアの第１変形例を示す分解断面図である。
【図７】図７は、本発明の実施形態における試験用キャリアの第２変形例を示す分解断面図である。
【図８】図８は、本発明の実施形態においてスペーサとダイの位置関係を示す底面図である。
【図９】図９は、本発明の実施形態におけるスペーサの変形例を示す図である。
【図１０】図１０（ａ）は、図３のX部の拡大図であり、図１０（ｂ）は、従来の試験キャリアの拡大図である。
【発明を実施するための形態】
【００１７】
以下、本発明の実施形態を図面に基づいて説明する。
【００１８】
図１は本実施形態におけるデバイス製造工程の一部を示すフローチャートである。
【００１９】
本実施形態では、半導体ウェハのダイシング後（図１のステップＳ１０の後）であって最終パッケージングの前（ステップＳ５０の前）に、ダイ９０に造り込まれた電子回路の試験を行う（ステップＳ２０〜Ｓ４０）。
【００２０】
本実施形態では、先ず、キャリア組立装置（不図示）によってダイ９０を試験用キャリア１０に一時的に実装する（ステップＳ２０）。次いで、この試験用キャリア１０を介してダイ９０と試験装置（不図示）とを電気的に接続することで、ダイ９０に造り込まれた電子回路の試験を実行する（ステップＳ３０）。そして、この試験が終了したら、試験用キャリア１０からダイ９０を取り出した後（ステップＳ４０）に、このダイ９０を本パッケージングすることで、デバイスが最終品として完成する（ステップＳ５０）。
【００２１】
以下に、本実施形態においてダイ９０が一時的に実装される（仮パッケージングされる）試験用キャリア１０の構成について、図２〜図１０を参照しながら説明する。
【００２２】
図２〜図５はダイ９０が一時的に実装される試験用キャリアを示す図であり、図６及び図７は試験用キャリアの変形例を示す図、図８はスペーサ４５とダイ９０との位置関係を示す図、図９はスペーサの変形例を示す図、図１０（ａ）は図３のX部の拡大図、図１０（ｂ）は従来の試験用キャリアの拡大図である。
【００２３】
本実施形態における試験用キャリア１０は、図２〜図４に示すように、ダイ９０が載置されたベース部材２０と、ダイ９０の周囲に配置されたスペーサ４５と、ベース部材２０に重ねられてダイ９０及びスペーサ４５を覆っているカバー部材５０と、を備えている。この試験用キャリア１０は、大気圧よりも減圧した状態でベース部材２０とカバー部材５０との間にダイ９０を挟み込むことで、ダイ９０を保持する。
【００２４】
ベース部材２０は、ベースフレーム３０と、ベースフィルム４０と、を備えている。本実施形態におけるベースフィルム４０が、本発明における第１の部材の一例に相当する。
【００２５】
ベースフレーム３０は、高い剛性（少なくともベースフィルム４０やカバーフィルム７０よりも高い剛性）を有し、中央に開口３１が形成されたリジッド基板である。このベースフレーム３０を構成する材料としては、例えば、ポリアミドイミド樹脂、セラミックス、ガラス等を例示することができる。
【００２６】
一方、ベースフィルム４０は、可撓性を有するフィルムであり、中央開口３１を含めたベースフレーム３０の全面に接着剤（不図示）を介して貼り付けられている。このように、本実施形態では、可撓性を有するベースフィルム４０が、剛性の高いベースフレーム３０に貼り付けられているので、ベース部材２０のハンドリング性の向上が図られている。
【００２７】
なお、ベースフレーム３０を省略して、ベースフィルム４０のみでベース部材２０を構成してもよい。或いは、ベースフィルム４０を省略して、開口３１を有しないベースフレームに配線パターン４２を形成したリジッドなプリント配線板を、ベース部材２０として使用してもよい。
【００２８】
図５に示すように、このベースフィルム４０は、フィルム本体４１と、そのフィルム本体４１の表面に形成された配線パターン４２と、を有している。フィルム本体４１は、例えば、ポリイミドフィルム等から構成されている。また、配線パターン４２は、例えば、フィルム本体４１上に積層された銅箔をエッチングすることで形成されている。
【００２９】
なお、フィルム本体４１に、例えば、ポリイミドフィルム等から構成されるカバー層を積層することで、配線パターン４２を保護してもよいし、いわゆる多層フレキシブルプリント配線板をベースフィルム４０として使用してもよい。また、配線パターン４２の一部を、ベースフィルム４０の表面にインクジェット印刷によってリアルタイムに形成してもよいし、或いは、配線パターン４２の全てをインクジェット印刷によって形成してもよい。
【００３０】
図５に示すように、配線パターン４２の一端には、ダイ９０の電極パッド９１に電気的に接触するバンプ４３が立設されている。このバンプ４３は、例えば銅（Ｃｕ）やニッケル（Ｎｉ）等から構成されており、例えばセミアディティブ法によって配線パターン４２の端部の上に形成されている。このバンプ４３は、ダイ９０の電極パッド９１に対応するように配置されている。本実施形態におけるダイ９０が本発明における電子部品の一例に相当し、本実施形態における電極パッド９１が本発明における電極の一例に相当し、本実施形態におけるバンプ４３が本発明における端子の一例に相当する。
【００３１】
一方、配線パターン４２の他端には、外部端子４４が設けられている。この外部端子４４には、ダイ９０に造り込まれた電子回路の試験の際（図１のステップＳ３０）に、試験装置のコンタクタ（不図示）が電気的に接触して、試験用キャリア１０を介してダイ９０が試験装置に電気的に接続される。
【００３２】
なお、外部端子４４の位置は、上記の位置に特に限定されず、例えば、図６に示すように、外部端子４４をベースフィルム４０の下面に形成してもよいし、或いは、図７に示すように、外部端子４４をベースフレーム３０の下面に形成してもよい。図７に示す例では、ベースフレーム３０にスルーホールや配線パターンを形成することで、配線パターン４２と外部端子４４とを電気的に接続する。
【００３３】
また、特に図示しないが、ベースフィルム４０に加えて、カバーフィルム７０に配線パターン４２や外部端子４４を形成したり、カバーフレーム６０に外部端子４４を形成してもよい。
【００３４】
以上に説明したベースフィルム４０の上には、試験対象であるダイ９０が載置されるが、本実施形態では、ダイ９０に加えて、スペーサ４５もベースフィルム４０上に載置されている。
【００３５】
このスペーサ４５は、図８に示すように、矩形の環状形状を有しており、ダイ９０よりも僅かに大きな内孔４６を有している。スペーサ４５は、この内孔４６にダイ９０を収容して、平面視において当該ダイ９０の輪郭（外周縁）９２を全周に亘って囲うことが可能となっている。なお、本実施形態におけるこのダイ９０の輪郭９２の全周が、本発明における「電子部品の輪郭のうち電極の近傍に位置する部分」の一例に相当する。
【００３６】
このスペーサ４５は、例えば、ポリテトラフルオロエチレン（ＰＴＦＥ）等の樹脂材料、シリコン（Ｓｉ）、セラミックス、或いはガラス等から構成されており、図４に示すように、このスペーサ４５の厚さｔｓは、ダイ９０の厚さｔｄと実質的に同一の厚さを有している（ｔｓ＝ｔｄ）。なお、ベースフィルム４０のバンプ４３がダイ９０の電極パッド９１から浮き上がらなければ、スペーサ４５の厚さｔｓを、ダイ９０の厚さｔｄよりも若干厚くしたり薄くしてもよい。
【００３７】
なお、例えば、図９に示すように、電極パッド９１の列がダイ９０の略中央のみに設けられている場合には、ダイ９０を挟むように２つのスペーサ４５Ｂをベースフィルム４０上に配置してもよい。具体的には、同図に示すように、平面視において、一対のスペーサ４５Ｂを、ダイ９０の輪郭９２のうち電極パッド９１の近傍に位置する一対の辺９３，９４に隣り合うように配置してもよい。なお、本実施形態におけるこの一対の辺９３，９４が、本発明における「電子部品の輪郭のうち電極の近傍に位置する部分」の一例に相当する。
【００３８】
図２〜図４に戻り、カバー部材５０は、カバーフレーム６０と、カバーフィルム７０と、を備えている。本実施形態におけるカバーフィルム７０が、本発明における第２の部材の一例に相当する。
【００３９】
カバーフレーム６０は、高い剛性（少なくともベースフィルム４０やカバーフィルム７０よりも高い剛性）を有し、中央に開口６１が形成されたリジッド基板である。本実施形態では、このカバーフレーム６０は、上述のベースフレーム３０と同様に、ポリアミドイミド樹脂、セラミックス、ガラス等から構成されている。
【００４０】
一方、カバーフィルム７０は、可撓性を有するフィルムであり、例えば、上述のベースフィルム４０のフィルム本体４１と同様に、例えばポリイミドフィルム等で構成されている。このカバーフィルム７０は、中央開口６１を含めたカバーフレーム６０の全面に接着剤（不図示）によって貼り付けられている。本実施形態では、可撓性を有するカバーフィルム７０が、剛性の高いカバーフレーム６０に貼り付けられているので、カバー部材５０のハンドリング性の向上が図られている。
【００４１】
なお、カバー部材５０をカバーフィルム７０のみで構成してもよい。或いは、ベース部材２０がベースフィルム４０を有している場合には、開口６１が形成されていないリジッド基板のみでカバー部材５０を構成してもよい。
【００４２】
以上に説明した試験用キャリア１０は、以下のように組み立てられる。
【００４３】
先ず、電極パッド９１をバンプ４３に合わせた状態で、ダイ９０をベース部材２０のベースフィルム４０上に載置し、次いで、内孔４６にダイ９０を収容しつつ、スペーサ４５をベースフィルム４０上に載置する。
【００４４】
次いで、大気圧に比して減圧した環境下で、ベース部材２０の上にカバー部材５０を重ねて、ベース部材２０とカバー部材５０との間に、ダイ９０とスペーサ４５を挟み込む。この際、ベースフィルム４０とカバーフィルム７０が直接接触するように、ベース部材２０の上にカバー部材５０を重ねる。
【００４５】
因みに、ダイ９０が比較的厚い場合には、特に図示しないが、ベースフレーム３０とカバーフレーム６０とが直接接触するように、ベース部材２０の上にカバー部材５０を重ねてもよい。
【００４６】
次いで、ベース部材２０とカバー部材５０との間にダイ９０を挟み込んだ状態のまま、試験用キャリア１０を大気圧環境に戻すことで、ベース部材２０とカバー部材５０との間に形成された収容空間１１（図３参照）内にダイ９０が保持される。
【００４７】
ここで、図１０（ｂ）に示すように、ダイ９０の周囲にスペーサ４５が設けられていない場合にベースフィルム４０が厚過ぎると、ダイ９０のエッジ９５にベースフィルム４０が乗り上げ、一部のバンプ４３が電極パッド９１から浮き上がってしまい、ダイ９０のエッジ９５の近傍に位置する電極パッド９１が、バンプ４３と電気的に導通せず、コンタクト不良が発生する。
【００４８】
一方、特に図示しないが、ベースフィルムを薄くし過ぎると、ベースフィルム自体の伸びや、配線形成時の応力によってベースフィルムに発生したウネリに起因して、バンプの位置精度が低下する。
【００４９】
これに対し、本実施形態では、図１０（ａ）に示すように、ベースフィルム４０に所定の剛性を確保しても、スペーサ４５によって、ベースフィルム４０の浮き上がり部分４０ａから、ダイ９０のエッジ９５の近傍に位置する電極パッド９１を遠ざけることができ、バンプ４３の浮き上がりを抑制してコンタクト不良の発生を抑制することができる。
【００５０】
因みに、ダイ９０の電極パッド９１とベースフィルム４０のバンプ４３とは、半田等で固定されていない。本実施形態では、収容空間１１が大気圧に比して負圧となっているので、ダイ９０がベースフィルム４０とカバーフィルム７０によって押圧されて、ダイ９０の電極パッド９１とベースフィルム４０のバンプ４３とが相互に接触している。
【００５１】
なお、図３に示すように、ベース部材２０とカバー部材５０を、位置ズレを防止すると共に密閉性を向上させるために、接着部８０で相互に固定してもよい。この接着部８０を構成する接着剤８１としては、例えば、紫外線硬化型接着剤を例示することができる。
【００５２】
この接着剤８１は、図２、図４、及び図５に示すように、ベース部材２０においてカバー部材５０の外周部に対応する位置に塗布されており、ベース部材２０にカバー部材５０を被せた後に紫外線を照射して当該接着剤８１を硬化させることで、接着部８０が形成される。
【００５３】
上記のように組み立てられた試験用キャリア１０は、特に図示しない試験装置に運ばれて、図１のステップＳ３０において、当該試験装置のコンタクタが試験用キャリア１０の外部端子４４に電気的に接触し、試験用キャリア１０を介して試験装置とダイ９０の電子回路とが電気的に接続されて、当該電子回路の試験が実行される。
【００５４】
なお、ベース部材２０とカバー部材５０を接着部８０で接着した上で、試験時に試験用キャリア１０を外部から押圧してダイ９０の電極パッド９１とバンプ４３を接触させる場合には、収容空間１１を減圧しなくてもよい。
【００５５】
以上のように、本実施形態では、スペーサ４５がベースフィルム４０とカバーフィルム７０との間に介装されダイ９０の周囲に配置されているので、ベースフィルム４０を薄くしなくても、ベースフィルム４０のバンプ４３の浮き上がりを防止することができ、コンタクト不良の発生を抑制しつつバンプ４３の位置精度を確保することができる。
【００５６】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【符号の説明】
【００５７】
１０…試験用キャリア
１１…収容空間
２０…ベース部材
３０…ベースフレーム
３１…中央開口
４０…ベースフィルム
４０ａ…浮き上がり部分
４１…フィルム本体
４２…配線パターン
４３…バンプ
４４…外部端子
４５…スペーサ
４６…内孔
５０…カバー部材
６０…カバーフレーム
６１…中央開口
７０…カバーフィルム
８０…接着部
８１…接着剤
９０…ダイ
９１…電極パッド
９２…輪郭
９３，９４…辺
９５…エッジ
【図１】
0005702705.tif 000002
【図２】
0005702705.tif 000003
【図３】
0005702705.tif 000004
【図４】
0005702705.tif 000005
【図５】
0005702705.tif 000006
【図６】
0005702705.tif 000007
【図７】
0005702705.tif 000008
【図８】
0005702705.tif 000009
【図９】
0005702705.tif 000010
【図１０】
0005702705.tif 000011